(57)【要約】【課題】乾燥したガム等のシート状の食品等を積み重ね収納し、また、一枚ずつ取り出して使用するためのケースであって、取り扱い易く、また収納したシート状物の取り出しが容易で、しかもシート状物が湿気る等の不都合を防止して使用中に良好な状態で保管しておこくとができる優れたシート状物収納ケースを提案する。【解決手段】内部にシート状物ｓを積み重ね収納する収納室Ａを有するとともに、該収納室Ａの端部上方に取出口６を開口し、また、取出口６下方の収納室内に、外方より内方へ下る取出用の誘導面ｆを設けて構成した。【選択図】図１
2005162224.tif 000002
【特許請求の範囲】
【請求項１】
内部にシート状物ｓを積み重ね収納する収納室Ａを有するとともに、該収納室Ａの端部上方に取出口６を開口し、且つ、該取出口６下方の収納室内に外方より内方へ下る取り出し用の誘導面ｆを設けたことを特徴とするシート状物収納ケース。
【請求項２】
上記誘導面ｆが、並設された複数の分割誘導面f1…より構成されてなる請求項１記載のシート状物収納ケース。
【請求項３】
内部にシート状物ｓを積み重ね収納する収納室Ａを有するとともに、該収納室Ａの端部上方に取出口６を開口し、且つ、後端に挿入口５を開口したケース本体２と、該ケース本体２の挿入口５を閉塞して嵌着した蓋体３と、上記取出口６周縁のケース本体表面に周縁部を粘着させて開閉可能に取出口６を閉塞した可撓性のシート蓋４とを備え、上記取出口６下方の収納室Ａ内に外方より内方へ下る複数の分割誘導面f1…を並設したことを特徴とするシート状物収納ケース。
【請求項４】
上記蓋体３の閉塞板部12を内方へ凹ませた凹部15を画成するとともに、該凹部15と上記収納室Ａ内とを連通し、該凹部15内に乾燥剤17を収納して該凹部15外面をシール材18により密閉してなる請求項３記載のシート状物収納ケース。
【発明の詳細な説明】
【技術分野】
【０００１】
本発明はシート状物収納ケースに関し、詳しくは、ガム等のシート状の食品の収納及び取り出しに適したシート状物収納ケースに関する。
【背景技術】
【０００２】
シート状物を収納し、取り出し可能に構成した包装具が提案されている。（例えば、特許文献１参照）。
【０００３】
ここに示されている包装具は、内部にシート材を収納する外装シート上面の一部に、シート材を引き出すための取り出し口を形成し、この取り出し口を被覆する開閉蓋を感圧接着剤を介して外装シート上面の外側面に貼着した携帯用シート材包装具であって、外装シート上面の内側面に当接する第１面と外装シート内に収納されたシート材の最上面に当接する第２面とを、シート材の厚さ方向について所定の間隔を設けて互いに並行に配置し、第２面に外装シートの取り出し口に対向する孔部を形成したスペーサを設けている。
【０００４】
この包装具は液体を含浸又は塗布した湿潤なシート材を収納するためのもので、シート材に含浸或いは塗布された液体が感圧接着材を濡らして接着不良起こす等を防止でき、良好な密閉性を維持できるものである。
【特許文献１】特開2003-312757 号公報
【発明の開示】
【発明が解決しようとする課題】
【０００５】
本発明では上記した如き湿潤なシートではなく、乾燥した例えばガム、海苔等のシート状の食品或いは紙石鹸等を積み重ねて収納し、また、一枚ずつ取り出して使用するためのケースであって、取り扱い易く、また、収納したシート状物の取り出しが行い易く、しかもシート状物が湿気る等の不都合を防止して使用中に良好な状態で保管しておくことができる優れたシート状物収納ケースを提案するものである。
【課題を解決するための手段】
【０００６】
本請求項１発明は、上記課題を解決するため、内部にシート状物ｓを積み重ね収納する収納室Ａを有するとともに、該収納室Ａの端部上方に取出口６を開口し、且つ、該取出口６下方の収納室内に外方より内方へ下る取り出し用の誘導面ｆを設けたことを特徴とするシート状物収納ケースとして構成した。
【０００７】
本請求項２発明は、上記誘導面ｆが、並設された複数の分割誘導面f1…より構成されてなる請求項１記載のシート状物収納ケースとして構成した。
【０００８】
本請求項３発明は、内部にシート状物ｓを積み重ね収納する収納室Ａを有するとともに、該収納室Ａの端部上方に取出口６を開口し、且つ、後端に挿入口５を開口したケース本体２と、該ケース本体２の挿入口５を閉塞して嵌着した蓋体３と、上記取出口６周縁のケース本体表面に周縁部を粘着させて開閉可能に取出口６を閉塞した可撓性のシート蓋４とを備え、上記取出口６下方の収納室Ａ内に外方より内方へ下る複数の分割誘導面f1…を並設したことを特徴とするシート状物収納ケースとして構成した。
【０００９】
本請求項４発明は、上記蓋体３の閉塞板部12を内方へ凹ませた凹部15を画成するとともに、該凹部15と上記収納室Ａ内とを連通し、該凹部15内に乾燥剤17を収納して該凹部15外面をシール材18により密閉してなる請求項３記載のシート状物収納ケースとして構成した。
【発明の効果】
【００１０】
本発明のシート状物収納ケースは、該収納室Ａの端部上方に取出口６を開口し、該取出口６下方の収納室内に外方より内方へ下る取り出し用の誘導面ｆを設けているため、収納ケース１を取出口６側に傾けることによって収納したシート状物ｓが上方に行くに従ってその端部を外方位置にする如くズレて、その結果、取出口６より一枚ずつ容易に取り出すことができるものである。また、並設された複数の分割誘導面f1…より構成された誘導面ｆを設けたものにあっては、最上部のシート状物ｓの下面を爪等により容易にすくい上げることができるため、更に取り出しが容易となる。
【００１１】
また、上記蓋体３の閉塞板部12を内方へ凹ませた凹部15を画成するとともに、該凹部15と上記収納室Ａ内とを連通し、該凹部15内に乾燥剤17を収納して該凹部15外面をシール材18により密閉してなるものにあっては、収納物を長期間確実に湿気等より守って品質を維持することができるものである。
【発明を実施するための最良の形態】
【００１２】
図１は本発明のシート状物収納ケース１の一例を示すもので、該収納ケース１は、ケース本体２と、蓋体３と、シート蓋４とを備えている。
【００１３】
上記ケース本体２は、後端に挿入口５を開口した先端閉塞の横筒状をなし、蓋体３とで内部に収納室Ａを画成する。また、その先端部上方に収納したシート状物ｓを取り出すための取出口６を開口している。この取出口６の形状は特に限定されるものではないが、少なくともその横幅を収納するシート状物ｓが通過可能な横幅に形成する。また、この取出口６の下方には外方より内方へ下る取り出し用の誘導面ｆを設けている。この誘導面ｆは一般的な傾斜面の他、弯曲面であっても良い。また、誘導面ｆは、通常のスロープの如く全幅にわたって外方より内方へ下る如く構成しても良いが、図示例の如く先端より内方へ下る分割誘導面f1…を複数並設して構成しても良い。また、後縁外周部には係止突条８を突設するとともに、その前方にフランジ９を周設している。更に、前部上側面にはシート蓋４の後述する指掛け部を収納する凹部10を凹設している。
【００１４】
蓋体３は、ケース本体２の外周後端部に嵌合させた嵌合筒11を、上記挿入口５を閉塞する閉塞板部12の周縁より延設し、嵌合筒11内周の係合突条13を上記係止突条８と係合させて嵌着している。また、閉塞板部12より上記嵌合筒11と二重筒状に且つ若干長く突設し、ケース本体２の挿入口５内周縁に密に嵌合したシール筒部14を備えている。図示例では、閉塞板部12の中央部分を内方へ凹ませた凹部15を形成し、該凹部15の奥壁に透孔16を穿設して収納室Ａ内と凹部15内とを連通させている。また、この凹部15内には乾燥剤17を収納し、凹部１外側開口をシール材18により気密に密閉している。収納する乾燥剤17は従来使用されているものが使用でき、収納物が食品の場合にはそれに適した乾燥剤17を採用する。また、シール材18は合成樹脂シートに接着層を備えた公知のシール材18を使用できる。このシール材18を貼着するための凹部19を図示例の如く設けても良い。
【００１５】
シート蓋４は、取出口６の周囲のケース本体２外面に周縁部を粘着させて開閉可能に取出口６を閉塞している。具体的には剥離と再接着とを何回も繰り返し行えるもので、例えば感圧接着材層を備えたシート材を所定形状に裁断して形成することができる。シート蓋４の一端縁には突片状の指掛け部20を突設し、閉蓋した際に上記凹部10内に収納される如く構成している。シート蓋４は透明にして取出口６を介して収納シート状物が確認できる如く構成している。
【００１６】
上記の如く構成したシート状物収納ケース１を使用する場合に付いて説明する。まず、図２の状態から指掛け部20をもってシート蓋４を開き、次いで、ケース１を取出口６側に傾けて収納したシート状物ｓを取出口６側に移行させる。この際、図４に示す如く、最上部のシート状物ｓが一番取出口６側に移行しており、簡単に取り出すことができる。次いで、シート蓋４を閉じることにより元の状態に戻る。
【図面の簡単な説明】
【００１７】
【図１】本発明シート状物収納ケースの分解斜視図である。（実施例１）
【図２】本発明シート状物収納ケースの斜視図である。（実施例１）
【図３】本発明シート状物収納ケースの縦断面図である。（実施例１）
【図４】本発明シート状物収納ケースを傾けた状態の縦断面図である。（実施例１）
【符号の説明】
【００１８】
２…ケース本体，３…蓋体，４…シート蓋，６…取出口，12…閉塞板部，15…凹部，    17…乾燥剤，18…シール材，Ａ…収納室，ｆ…誘導面，f1…分割誘導面，
ｓ…シート状物
【図１】
2005162224.tif 000003
【図２】
2005162224.tif 000004
【図３】
2005162224.tif 000005
【図４】
2005162224.tif 000006